【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
ユーザによってサイズが指定されるユーザ定義サイズの設定を受け付け、ジョブに対応付けるべき印刷設定に設定する設定手段と、
前記印刷設定に含まれる用紙サイズがユーザ定義サイズであるか否かを判定する判定手段と、
前記判定手段により前記用紙サイズが前記ユーザ定義サイズであると判定された場合、前記ユーザ定義サイズの幅と高さに基づいて、複数の異なる定型サイズの候補の中から、代替となる定型サイズを決定する決定手段と、
前記決定手段によって決定した定型サイズと、ジョブに対応付けるべき印刷設定と、互いに競合する印刷設定の組み合わせを示すコンフリクトルールとに基づき、印刷設定間にコンフリクトが発生しているか否かを判断する判断手段と、
前記判断手段によってコンフリクトが発生していると判断された場合に、前記ジョブに対応付けるべき印刷設定のうち少なくとも１つを変更することで前記印刷設定のコンフリクトを解消させる制御手段と、
を有する
ことを特徴とする情報処理装置。
【請求項２】
前記決定手段は、用紙サイズテーブルを参照し、複数の異なる定型サイズの候補の中から代替となる前記定形サイズを決定する
ことを特徴とする請求項１に記載の情報処理装置。
【請求項３】
前記決定手段は、表示部を介すことなく前記ユーザ定義サイズが取得された場合、予め設定された前記用紙サイズの幅と高さの最大サイズと最小サイズに基づいて前記定形サイズを決定する
ことを特徴とする請求項１または２に記載の情報処理装置。
【請求項４】
前記判定手段は、前記印刷設定に含まれる用紙タイプが予め登録されている用紙タイプか否かを更に判定し、
前記決定手段は、前記予め登録されている用紙タイプでない場合、ユーザ定義の用紙タイプから、複数の異なる定型の用紙タイプの候補の中から、代替となる定型の用紙タイプを更に決定し、
前記判断手段は、前記決定手段によって決定した前記定型サイズ及び前記定型の用紙タイプと、前記印刷設定と、前記コンフリクトルールとに基づき、印刷設定間にコンフリクトが発生しているか否かを判断する
ことを特徴とする請求項１乃至３のいずれか１項に記載の情報処理装置。
【請求項５】
前記決定手段は、前記ユーザ定義の用紙タイプの重量、表面性、形状、および色に基づいて前記代替となる定型の用紙タイプを決定する
ことを特徴とする請求項４に記載の情報処理装置。
【請求項６】
前記判断手段は、前記印刷設定の用紙サイズに設定された前記ユーザ定義サイズを保存し、前記印刷設定の用紙サイズを前記ユーザ定義サイズから、前記決定手段により決定された前記定形サイズに変更し、前記変更された印刷設定間にコンフリクトが発生しているか否かを判断し、
前記制御手段は、前記判断手段によってコンフリクトが発生していると判断されたことに従って、前記ジョブに対応付けるべき印刷設定のうち少なくとも１つを変更することで前記印刷設定のコンフリクトを解消させた後に、前記ジョブに対応付けるべき印刷設定の用紙サイズを前記保存されたユーザ定義サイズに戻す
ことを特徴とする請求項１乃至５のいずれか１項に記載の情報処理装置。
【請求項７】
前記判断手段は、コンフリクトが発生していないと判断した場合、前記ジョブに対応付けるべき印刷設定の用紙サイズを、前記保存されたユーザ定義サイズに戻す
ことを特徴とする請求項６に記載の情報処理装置。
【請求項８】
情報処理装置の制御方法であって、
ユーザによってサイズが指定されるユーザ定義サイズの設定を受け付け、ジョブに対応付けるべき印刷設定に設定する設定工程と、
印刷設定に含まれる用紙サイズがユーザ定義サイズであるか否かを判定する判定工程と、
前記判定工程で前記用紙サイズが前記ユーザ定義サイズであると判定された場合、前記ユーザ定義サイズの幅と高さに基づいて、複数の異なる定型サイズの候補の中から、代替となる定形サイズを決定する決定工程と、
前記決定工程で決定した定型サイズと、ジョブに対応付けるべき印刷設定と、互いに競合する印刷設定の組み合わせを示すコンフリクトルールとに基づき、印刷設定間にコンフリクトが発生しているかどうかを判断する判断工程と、
前記判断工程でコンフリクトが発生していると判断された場合に、前記ジョブに対応付けるべき印刷設定のうち少なくとも１つを変更することで前記印刷設定のコンフリクトを解消させる制御工程と、
を有する
ことを特徴とする制御方法。
【請求項９】
前記決定工程では、用紙サイズテーブルを参照し、複数の異なる定型サイズの候補の中から代替となる前記定形サイズを決定する
ことを特徴とする請求項８に記載の制御方法。
【請求項１０】
前記決定工程では、前記表示部を介すことなく前記ユーザ定義サイズが取得された場合、予め設定された前記用紙サイズの幅と高さの最大サイズと最小サイズに基づいて前記定形サイズを決定する
ことを特徴とする請求項８または９に記載の制御方法。
【請求項１１】
前記判定工程では、前記印刷設定に含まれる用紙タイプが予め登録されている用紙タイプか否かを更に判定し、
前記決定工程では、前記予め登録されている用紙タイプでない場合、ユーザ定義の用紙タイプから、複数の異なる定型の用紙タイプの候補の中から、代替となる定型の用紙タイプを更に決定し、
前記判断工程では、前記決定工程で決定した前記定型サイズ及び前記定型の用紙タイプと、前記印刷設定と、前記コンフリクトルールとに基づき、印刷設定間にコンフリクトが発生しているか否かを判断する
ことを特徴とする請求項８乃至１０のいずれか１項に記載の制御方法。
【請求項１２】
前記決定工程では、前記ユーザ定義の用紙タイプの重量、表面性、形状、および色に基づいて前記代替となる定型の一意の用紙タイプを決定する
ことを特徴とする請求項１１に記載の制御方法。
【請求項１３】
前記判断工程では、前記印刷設定の用紙サイズに設定された前記ユーザ定義サイズを保存し、前記印刷設定の用紙サイズを前記ユーザ定義サイズから、前記決定工程で決定された前記定形サイズに変更し、前記変更された印刷設定間にコンフリクトが発生しているか否かを判断し、
前記制御工程では、前記判断工程でコンフリクトが発生していると判断されたことに従って、前記ジョブに対応付けるべき印刷設定のうち少なくとも１つを変更することで前記印刷設定のコンフリクトを解消させた後に、前記ジョブに対応付けるべき印刷設定の用紙サイズを前記保存されたユーザ定義サイズに戻す
ことを特徴とする請求項８乃至１３のいずれか１項に記載の制御方法。
【請求項１４】
前記判断工程では、コンフリクトが発生していないと判断した場合、前記ジョブに対応付けるべき印刷設定の用紙サイズを、前記保存されたユーザ定義サイズに戻す
ことを特徴とする請求項１３に記載の制御方法。
【請求項１５】
請求項１〜７のいずれか１項に記載の情報処理装置の各手段としてコンピュータにより実行させることを特徴とするプログラム。
【手続補正２】
【補正対象書類名】明細書
【補正対象項目名】発明の名称
【補正方法】変更
【補正の内容】
【発明の名称】情報処理装置、情報処理装置の制御方法、及びプログラム
【手続補正３】
【補正対象書類名】明細書
【補正対象項目名】００１１
【補正方法】変更
【補正の内容】
【００１１】
上記課題を解決するために、本発明の情報処理装置は、ユーザによってサイズが指定されるユーザ定義サイズの設定を受け付け、ジョブに対応付けるべき印刷設定に設定する設定手段と、前記印刷設定に含まれる用紙サイズがユーザ定義サイズであるか否かを判定する判定手段と、前記判定手段により前記用紙サイズが前記ユーザ定義サイズであると判定された場合、前記ユーザ定義サイズの幅と高さに基づいて、複数の異なる定型サイズの候補の中から、代替となる定型サイズを決定する決定手段と、前記決定手段によって決定した定型サイズと、ジョブに対応付けるべき印刷設定と、互いに競合する印刷設定の組み合わせを示すコンフリクトルールとに基づき、印刷設定間にコンフリクトが発生しているかどうかを判断する判断手段と、前記判断手段によってコンフリクトが発生していると判断された場合に、前記ジョブに対応付けるべき印刷設定のうち少なくとも１つを変更することで前記印刷設定のコンフリクトを解消させる制御手段と、を有することを特徴とする。